(57)【要約】 【課題】  本発明は、グリップ部１１を的確に把持することができ、しかも壊れにくく、且つ安全なゴルフ練習用クラブを提供すること。【解決手段】シャフトの先端部に平板状の傾斜感知部１２を備え、後端部にグリップ部１１を備えているので、極めてシンプルにできており、嵩高にならず収納性がよく、シャフトのグリップ側と傾斜感知部１２側とが異なる合成樹脂材で形成されている、すなわち、少なくとも、グリップ部１１が屈曲しにくい第１合成樹脂Ｐ１で形成され、該グリップ部１１から先は該第１合成樹脂Ｐ１よりも屈曲し易い第２合成樹脂Ｐ２で形成されている。従って、グリップ部１１に対する確かな安定した把持力と、且つそれより先の部分のしなりを十分得ることができる。【選択図】  図１
2009195496.tif 000002
【特許請求の範囲】
【請求項１】
シャフトの先端部に平板状の傾斜感知部を備え、後端部にグリップ部を備えたことを特徴とするゴルフ練習用クラブ。
【請求項２】
シャフトのグリップ側と傾斜感知部側とが異なる合成樹脂材で形成されていることを特徴とする請求項１記載のゴルフ練習用クラブ。
【請求項３】
少なくとも、グリップ部が屈曲しにくい第１合成樹脂で形成され、該グリップ部から先は該第１合成樹脂よりも屈曲し易い第２合成樹脂で形成されていることを特徴とする請求項２記載のゴルフ練習用クラブ。
【請求項４】
第１合成樹脂と第２合成樹脂との境には両合成樹脂材が混合された混合樹脂領域が形成されていることを特徴とする請求項３記載のゴルフ練習用クラブ。
【請求項５】
平板状の傾斜感知部は、トラック状に曲げられたシャフトと該シャフトに周囲が埋め込まれた小判状の金属板とよりなることを特徴とする請求項１記載のゴルフ練習用クラブ。
【請求項６】
金属板の一方の面と他方の面とが異なった色が付与されていることを特徴とする請求項５記載のゴルフ練習用クラブ。
【請求項７】
金属板の一方の面に赤色のクッションシートを他方の面には青色のクッションシートを貼着したことを特徴とする請求項５記載のゴルフ練習用クラブ。
【請求項８】
金属板に孔を形成することにより傾斜感知部の重量の変更を可能としたことを特徴とする請求項５記載のゴルフ練習用クラブ。
【発明の詳細な説明】
【技術分野】
【０００１】
本発明は、ゴルフ練習用クラブに関し、更に詳しくは、構造が簡単で極力、壊れにくいゴルフ練習用クラブに関する。
【背景技術】
【０００２】
ゴルフ技術の向上のため種々の道具が開発されている。中でも、スウィングの練習は練習具さえあれば実際のコースではなくても一定の空間を有する室内で十分行える。
室内等のトレーニング用の練習具として特許文献１にあるような立体的な視認プレートがシャフトに取り付けられたスイング練習用具が開発されている。
このスイング練習用具は、野外は勿論室内でも使用することができる。
一般に、スイング練習用具は、室内で使用する場合を考えて、実際のクラブよりも短く作られている。
しかし、短いが故にどうしてもスイングした際のシャフトのしなりが得られなかった。
【０００３】
そのため曲がり易い材料で作られているが、曲がり易い材質のものでシャフトを作ると、当然グリップ部１１も曲がり易くなり、握った場合に安定性がない。
逆に、曲がりにくい材料で作った場合、グリップ部１１は、安定よく的確に握れるが、そのグリップ部１１から先も曲がらなくなり、この部分にいわゆる「しなり」が出ない。
【０００４】
また狭い室内で使用する場合、構造が立体的で複雑であり他の部材に当たり易く、また、視認プレートの周囲が露出しているので当たった場合、自らも壊れやすい。 
そして、角部があるため身体に当たると危険である。
更に立体的なので収納に余分な空間が必要（収納効率が悪い）である。
【特許文献１】特開２００６ー２９６４６２号公報
【発明の開示】
【発明が解決しようとする課題】
【０００５】
本発明は、このような従来の問題点を克服するためになされたもので、グリップ部１１を的確に把持することができ、しかも壊れにくく、且つ安全なゴルフ練習用クラブを提供することである。
【課題を解決するための手段】
【０００６】
かくして、本発明者は、このような課題背景に対して、鋭意研究を重ねた結果、シャフトの材料を２種類することで、少なくとも従来のしなりの問題点を解決できることを見出し、この知見に基づいて本発明は完成させたものである。
【０００７】
即ち、本発明は、（１）、シャフトの先端部に平板状の傾斜感知部を備え、後端部にグリップ部を備えたゴルフ練習用クラブに存する。
【０００８】
また、本発明は、（２）、シャフトのグリップ側と傾斜感知部側とが異なる合成樹脂材で形成されている上記（１）記載のゴルフ練習用クラブに存する。
【０００９】
また、本発明は、（３）、少なくとも、グリップ部が屈曲しにくい第１合成樹脂で形成され、該グリップ部から先は該第１合成樹脂よりも屈曲し易い第２合成樹脂で形成されている上記（２）記載のゴルフ練習用クラブに存する。
【００１０】
また、本発明は、（４）、第１合成樹脂と第２合成樹脂との境には両合成樹脂材が混合された混合樹脂領域が形成されている上記（３）記載のゴルフ練習用クラブに存する。
【００１１】
また、本発明は、（５）、平板状の傾斜感知部は、トラック状に曲げられたシャフトと該シャフトに周囲が埋め込まれた小判状の金属板とよりなる上記（１）記載のゴルフ練習用クラブに存する。
【００１２】
また、本発明は、（６）、金属板の一方の面と他方の面とが異なった色が付与されている上記（５）記載のゴルフ練習用クラブに存する。
【００１３】
また、本発明は、（７）、金属板の一方の面に赤色のクッションシートを他方の面には青色のクッションシートを貼着した上記（５）記載のゴルフ練習用クラブに存する。
【００１４】
また、本発明は、（８）、金属板に孔を形成することにより傾斜感知部の重量の変更を可能とした上記（５）記載のゴルフ練習用クラブに存する。
【００１５】
本発明はこの目的に沿ったものであれば、上記（１）〜（８）の中から選ばれた２つ以上を組み合わせたゴルフ練習用クラブの構成も当然採用可能である。
【発明の効果】
【００１６】
本発明のゴルフ練習用クラブは、シャフトの先端部に平板状の傾斜感知部１２を備え、後端部にグリップ部１１を備えているので、極めてシンプルにできており、嵩高にならず収納性がよい。
シャフトのグリップ側と傾斜感知部１２側とが異なる合成樹脂材で形成されている、すなわち、少なくとも、グリップ部１１が屈曲しにくい第１合成樹脂Ｐ１で形成され、該グリップ部１１から先は該第１合成樹脂Ｐ１よりも屈曲し易い第２合成樹脂Ｐ２で形成されているので、グリップ部１１に対する確かな安定した把持力と、且つそれより先の部分のしなりを十分得ることができる。
【００１７】
第１合成樹脂Ｐ１と第２合成樹脂Ｐ２との境には両合成樹脂材が混合された混合樹脂領域が形成されていることにより、物性が急に不連続に変わることがない。
平板状の傾斜感知部１２が、トラック状に曲げられたシャフトと該シャフトに周囲が埋め込まれた小判状の金属板１２Ｂとよりなることにより、左右対称となり、左利き、或いは右利きでも使用できる。
【００１８】
また金属板１２Ｂがシャフト１の先端に配設されているので、いわゆる、スイング時のヘッドの重みを十分感じることができる。ちなみに合成樹脂ではヘッドの重みを十分に得ることはできない。
小判状の金属板１２Ｂの周囲がシャフト１に埋め込まれることによって、金属の周囲が合成樹脂材で保護されるため他の部材に当たった場合にも、壊れにくく、相手を破壊しない。
【００１９】
金属板１２Ｂの一方の面と、他方の面とが異なった色が付与されていることにより、ヘッドの傾きを目で認識でき、アドレス時、及びバックスウイング又はダウンスウィング時の矯正に寄与することができる。
【発明を実施するための最良の形態】
【００２０】
以下、図面に基づき、本発明のゴルフ練習用クラブの好適な実施の形態について述べる。
図１は、本発明のゴルフ練習用クラブの全体を示す図であり、（Ａ）は、外観図、また（Ｂ）は、その展開図である。
【００２１】
図２は、本発明のゴルフ練習用クラブの全体を示す平面図であり、図３は、本発明のゴルフ練習用クラブの全体を示す側面図である。
【００２２】
また図４は、平面図におけるしなり状態を示す図であり、図５は、側面図におけるしなり状態を示す図である。
【００２３】
本発明のゴルフ練習用クラブＡは、グリップ部１１を的確に把持することができ、しかも十分なしなりを得られる。
シャフトは、後端部にグリップ部１１を備え、先端部に平板状の傾斜感知部１２（通常のゴルフクラブのヘッドに相当）を備えている。
後端部にはグリップ用カバーＧが取り付けられており、このグリップ用カバーＧの材質としては、合成ゴム、エラストマー等の通常のグリップ材が使われている。
グリップ用カバーＧとしてはテープを巻回したカバーも採用可能である。
【００２４】
（シャフト）
シャフト１は、合成樹脂で形成された断面円形状の棒体である。
そして、一部に屈曲し難さを、他の一部には屈曲し易さを与えるため、シャフト１のグリップ部１１側と傾斜感知部１２側とが異なる合成樹脂材で形成されている。
【００２５】
すなわち、少なくともグリップ部１１（グリップ用カバーＧが取り付けられた部分）は、しっかりとした把持力が得られるように、屈曲しにくい樹脂（第１合成樹脂Ｐ１）を使って形成され、グリップ部１１より先の方は、屈曲しにくい樹脂（第１合成樹脂Ｐ１）よりも屈曲し易い樹脂（第２合成樹脂Ｐ２）を使って形成されている。
このような２種類の合成樹脂を使った成形としては、多色射出成形を使うことが好ましい。
【００２６】
これにより、両者の境界（すなわち第１合成樹脂Ｐ１と第２合成樹脂Ｐ２との境）には両合成樹脂材が混合された混合樹脂領域Ｐ３が形成される。
混合樹脂領域Ｐ３においては、材質がいきなり不連続にならないため、物性が極端に変わることがなく、徐々に変わる。
【００２７】
もっとも、グリップ部１１は、極力、この混合樹脂領域Ｐ３を含まないようにすることが好ましい（図２の領域Ｐ３参照）。
このようにすることで、グリップ部を安定よく確実にグリップし、素振りを行った場合、グリップ部１１から先が十分しなりが得られるのである。
【００２８】
ここで、第１合成樹脂Ｐ１としては、例えば、ポリ酢酸ビニル樹脂が、第２合成樹脂Ｐ２としてはポリエチレン樹脂が用いられる。
【００２９】
（傾斜感知部）
一方、傾斜感知部１２は、シャフト１が一旦分岐して再度合流することでトラック状に形成されている。
言い換えれば、平板状の傾斜感知部１２は、トラック状に曲げられたシャフト１（トラック状シャフト１２Ａ）を備え、該シャフト１によって形成された小判状の空間には、小判状の金属板１２Ｂを備えている。
【００３０】
図６は、傾斜感知部１２を拡大して示す平面図であり、図７は金属板１２Ｂを拡大して示す平面図であり、図８は、図６におけるＡ−Ａ断面図である。
このように傾斜感知部１２は左右対称であるためゴルフ練習用クラブ全体としても左右対称となってバランスしている。
【００３１】
金属板１２Ｂの周囲は、トラック状に形成されたシャフト１に埋め込まれている。
金属板１２Ｂは、このように埋め込まれた状態であるため、シャフト１に堅固に固定される。
しかも金属板１２Ｂがシャフト１に埋め込まれた部分には、くり抜き孔Ｋ１が設けられているので、シャフト１の材料である合成樹脂材がこのくり抜き孔Ｋ１を介して上下に連絡され、固定力がより確実なものとなる。
このような金属板１２Ｂのシャフト１に対する取り付は、射出成形機を使ってシャフト１と一体にインサート成形することにより可能である。
【００３２】
ところで、一般のクラブのヘッド部に相当する傾斜感知部１２の重さは、製品によって異なる重さが要求されているが、この実施の形態では、金属板１２Ｂを切り抜いて貫通孔Ｋ２を設け、この貫通孔Ｋ２の面積、或いは数を変えることにより重みを簡単に変更することができる。
【００３３】
例えば、図では貫通孔Ｋ２が２個で設計された例で示したが、３個に設計することにより、いわゆるヘッドを軽くしたゴルフ練習用クラブＡが提供できる。
このクラブによりスイングする人は、ヘッドの重みを強く感じことができる。
【００３４】
また、ゴルフ練習用クラブＡを購入した段階で、重すぎると考える場合は、金属板１２Ｂに孔を開ければよい。
この貫通孔Ｋ２は、後述するように、色シートを貼ることにより、隠れてしまうので美観として悪くならない。
金属板１２Ｂには、両側の面に色が付与されており、一方の面と他方の面とは異なった色となっている。
【００３５】
本発明の傾斜感知部１２は、平板状であるので、いわゆる「アドレス」姿勢を取った状態では、身体と垂直になり、左側と右側とが見えない状態となっている。
傾斜感知部１２が右側に傾斜すると、左側の色（例えば赤色）が視認され、反対に傾斜感知部１２が左側に傾斜すると右側の色（例えば青色）が視認される。
この色の見え方により、傾斜感知部１２の傾斜角度が認識できるのである。
金属板１２Ｂに色を付与するには、色シートを貼ることが好ましい。
【００３６】
この色シートにより、前述した金属板１２Ｂのくり抜き孔Ｋ１が隠される利点もある。
また、色シートは、ポリウレタン発砲シートのように衝撃を吸収するクッションシートが好ましい。
本発明のゴルフ練習用クラブを振り回して、この金属板１２Ｂが当たっても、当たった部材もクラブ自身も保護されているので危険性が少ない。
【００３７】
（使用例）
次に、ゴルフ練習クラブによる素振りの練習の１例を挙げる。
まず、両手でグリップ部１１を握ってアドレスする（図９参照）。
このアドレス状態では、丁度、身体である体面と傾斜感知部１２が垂直になるようにする。
そしてバックスウイングに移るが、そのまま両手の三角形を保ったまま身体の軸を回転させると、傾斜感知部１２は自然に上がっていき、いわゆるトップとなる。
【００３８】
この場合、身体の回転でなく手のみで上げていくと、傾斜感知部１２が極端に傾き、金属板１２Ｂの一方の色の部分が大きく目で認識できて身体の回転が甘いことが分かる。
逆にダウンスウィングでも同様なことがいえる。
このように使用者はスイング姿勢を分析することができる。
【００３９】
以上、本発明を説明してきたが、本発明は実施形態にのみ限定されるものではなく、その本質を逸脱しない範囲で、他の種々の変形例が可能であることは言うまでもない。
【００４０】
例えば、図１０に示すように、グリップ部１１だけではなく、それから一定距離の位置まで屈曲しにくい第１合成樹脂Ｐ１で形成されることも可能である。
その場合、該一定距離の位置から先は該第１合成樹脂Ｐ１よりも屈曲し易い第２合成樹脂Ｐ２で形成される。
この場合も、両者の境界（第１合成樹脂Ｐ１と第２合成樹脂Ｐ２との境）には両合成樹脂材が混合された混合樹脂領域Ｐ３が形成される。
なお、本発明で第１合成樹脂Ｐ１と第２合成樹脂Ｐ２とを区別して示したが、これは、必ずしも異なった種類の樹脂を示すだけでなく、同じ種類のもので、屈曲しにくい合成樹脂と屈曲し易い合成樹脂を使うことも意味するものである。
【図面の簡単な説明】
【００４１】
【図１】図１は、本発明のゴルフ練習用クラブの全体を示す図であり、（Ａ）は、外観図、また（Ｂ）は、部品の展開図である。
【図２】図２は、本発明のゴルフ練習用クラブの全体を示す平面図である。
【図３】図３は、本発明のゴルフ練習用クラブの全体を示す側面図である。
【図４】図４は、平面図におけるしなり状態を示す図である。
【図５】図５は、側面図におけるしなり状態を示す図である。
【図６】図６は傾斜感知部１２を拡大して示す平面図である。
【図７】図７は金属板１２Ｂを拡大して示す平面図である。
【図８】図８は、図６におけるＡ−Ａ断面図である。
【図９】図９は、ゴルフ練習用クラブを使ってアドレスした状態を示す。
【図１０】図１０は、他の実施の形態におけるゴルフ練習用クラブを示す。
【符号の説明】
【００４２】
１…シャフト
１１…グリップ部
１２…傾斜感知部
１２Ａ…トラック状シャフト
１２Ｂ…金属板
Ａ…ゴルフ練習用クラブ
Ｇ…グリップ用カバー
Ｋ１…くり抜き孔
Ｋ２…貫通孔
Ｓ…シート
Ｐ１…第１合成樹脂
Ｐ２…第２合成樹脂
Ｐ３…混合樹脂領域
【図１】
2009195496.tif 000003
【図２】
2009195496.tif 000004
【図３】
2009195496.tif 000005
【図４】
2009195496.tif 000006
【図５】
2009195496.tif 000007
【図６】
2009195496.tif 000008
【図７】
2009195496.tif 000009
【図８】
2009195496.tif 000010
【図９】
2009195496.tif 000011
【図１０】
2009195496.tif 000012